(57)【要約】【課題】カゴ型パレットなどの被昇降物を、変形や損傷を生じずにロープやベルトなどで吊り上げて移動させることができる簡易構造の昇降用吊り具を提供すること。【解決手段】長さのある棒状の吊り具本体１に、クレーンなどの吊り上げ装置の昇降吊り具２に吊り下げする吊り下げ部３を設け、この吊り具本体１の両端部に、被昇降物４の底部を支持したロープやベルトなどの紐状支持体５を掛止する掛止部６を設けると共に、この吊り具本体１両端部の掛止部６間の距離寸法を、前記被昇降物４の横幅寸法に合致する距離寸法に設定若しくは被昇降物４の横幅寸法より大きい距離寸法に設定する。【選択図】図１
2007161465.tif 000002
【特許請求の範囲】
【請求項１】
長さのある棒状の吊り具本体に、クレーンなどの吊り上げ装置に設けられた昇降吊り具に吊り下げする吊り下げ部を設け、この吊り具本体の両端部に、被昇降物の底部を支持したロープやベルトなどの紐状支持体を掛止する掛止部を設けると共に、この吊り具本体両端部の掛止部間の距離寸法を、前記被昇降物の横幅寸法に合致する距離寸法に設定若しくは被昇降物の横幅寸法より大きい距離寸法に設定したことを特徴とする昇降用吊り具。
【請求項２】
前記吊り具本体の長さ寸法を、被昇降物の横幅寸法より大きい長さ寸法に設定して、この吊り具本体両端部の前記掛止部間の距離寸法を、前記被昇降物の横幅寸法に合致する距離寸法に設定若しくは被昇降物の横幅寸法より大きい距離寸法に設定し得るように構成し、この吊り具本体両端部の掛止部に前記紐状支持体を掛止すると共に、前記吊り上げ部を介して吊り具本体を前記吊り上げ装置で吊り上げした際に、この紐状支持体が被昇降物に対し内側に傾斜した状態とならず、被昇降物の側面部と平行若しくは被昇降物に対し外側に傾斜した状態となるように構成したことを特徴とする請求項１記載の昇降用吊り具。
【請求項３】
前記掛止部は、前記吊り具本体両端部の外端部側に外側移動阻止部を設けると共に、この各外側移動阻止部より間隔を置いた吊り具本体の中心部側に内側移動阻止部を設けて、この外側移動阻止部と内側移動阻止部との間に前記紐状支持体を掛止する構成としたことを特徴とする請求項１，２のいずれか１項に記載の昇降用吊り具。
【発明の詳細な説明】
【技術分野】
【０００１】
本発明は、被昇降物をクレーンなどで吊り上げて昇降したり適所へと移動させる際に用いる昇降用吊り具に関するものである。
【背景技術】
【０００２】
例えば、建築用資材のような重量物は、多数の資材を予めカゴ型のパレット内に収納してこのパレットごとトラックなどの移送車両の荷台に載せて現場へと移送し、現場では、例えばパレットにワイヤーを掛け回し、この掛け回したワイヤーをクレーンなどの吊り上げ装置の昇降吊り具に吊り下げて、この吊り上げ装置で移送車両の荷台からパレットを建築中の建物の所要の場所へと移動し資材を搬入している。
【発明の開示】
【発明が解決しようとする課題】
【０００３】
しかしながら、このようなパレットを用いて行う資材の搬入においては、パレット内に収納した資材（重量物）の荷重によってパレットを支えているワイヤーがパレットに喰い込み、パレットが変形を生じてしまうことが往々にしてある。
【０００４】
本発明は、このような現状に鑑み、これを解決するためのもので、カゴ型パレットなどの被昇降物を、変形や損傷を生じずにロープやベルトなどの紐状支持体で吊り上げて移動することが可能となる簡易構造の画期的な昇降用吊り具を提供するものである。
【課題を解決するための手段】
【０００５】
添付図面を参照して本発明の要旨を説明する。
【０００６】
長さのある棒状の吊り具本体１に、クレーンなどの吊り上げ装置に設けられた昇降吊り具２に吊り下げする吊り下げ部３を設け、この吊り具本体１の両端部に、被昇降物４の底部を支持したロープやベルトなどの紐状支持体５を掛止する掛止部６を設けると共に、この吊り具本体１両端部の掛止部６間の距離寸法を、前記被昇降物４の横幅寸法に合致する距離寸法に設定若しくは被昇降物４の横幅寸法より大きい距離寸法に設定したことを特徴とする昇降用吊り具に係るものである。
【０００７】
また、前記吊り具本体１の長さ寸法を、被昇降物４の横幅寸法より大きい長さ寸法に設定して、この吊り具本体１両端部の前記掛止部６間の距離寸法を、前記被昇降物４の横幅寸法に合致する距離寸法に設定若しくは被昇降物４の横幅寸法より大きい距離寸法に設定し得るように構成し、この吊り具本体１両端部の掛止部６に前記紐状支持体５を掛止すると共に、前記吊り上げ部３を介して吊り具本体１を前記吊り上げ装置で吊り上げした際に、この紐状支持体５が被昇降物４に対し内側に傾斜した状態とならず、被昇降物４の側面部と平行若しくは被昇降物４に対し外側に傾斜した状態となるように構成したことを特徴とする請求項１記載の昇降用吊り具に係るものである。
【０００８】
また、前記掛止部６は、前記吊り具本体１両端部の外端部側に外側移動阻止部６Ａを設けると共に、この各外側移動阻止部６Ａより間隔を置いた吊り具本体１の中心部側に内側移動阻止部６Ｂを設けて、この外側移動阻止部６Ａと内側移動阻止部６Ｂとの間に前記紐状支持体５を掛止する構成としたことを特徴とする請求項１，２のいずれか１項に記載の昇降用吊り具に係るものである。
【発明の効果】
【０００９】
本発明は上述のように構成したから、被昇降物の底部を支持した紐状支持体を吊り具本体の両端部の掛止部に掛止すると共に、この吊り具本体の吊り下げ部をクレーンなどの吊り上げ装置に設けられた昇降吊り具に吊り下げすることで、この吊り上げ装置により被昇降物を適所へ移動させることができ、この際、吊り具本体の両端部の掛止部間の距離寸法を、被昇降物の横幅寸法に合致する距離か若しくは被昇降物の横幅寸法よりも大きい距離寸法に設定しているために、この両端部の掛止部に掛止した紐状支持体は、被昇降物の左右側面を強く圧迫することがなく、よって吊り上げ装置による移動時にこの紐状支持体によって被昇降物が変形したり損傷したりすることがなく、しかも、長さを有する吊り具本体の両端部の掛止部に被昇降物を支持した紐状支持体を掛止して吊り上げするため、バランスの良い安定状態で被昇降物を吊り下げできて吊り上げ装置による移動を安定的に行うことができ、その上、本発明は、単に長さのある棒状の吊り具本体に、吊り下げ部と、両端部の掛止部を設けることで構成可能であるため、簡易に設計実現可能で量産性に秀れるなど、極めて実用性に秀れた画期的な昇降用吊り具となる。
【００１０】
また、請求項２記載の発明においては、被昇降物を確実に変形したり損傷したりせずに吊り上げることができる構成を簡易に設計実現可能となる一層実用性に秀れた構成の昇降用吊り具となる。
【００１１】
また、請求項３記載の発明においては、吊り具本体両端部の掛止部に掛止した紐状支持体が大きく位置ずれすることがないため、確実に被昇降物の変形や損傷を阻止する構成であると共に、バランスの良い安定状態で被昇降物を吊り下げできて吊り上げ装置による昇降移動を安定的に行うことができ、しかも、この構成は簡易に設計実現可能な構成であり、量産性に秀れるなど、極めて実用的な構成の昇降用吊り具となる。
【発明を実施するための最良の形態】
【００１２】
好適と考える本発明の実施形態（発明をどのように実施するか）を、図面に基づいて本発明の作用を示して簡単に説明する。
【００１３】
ロープやベルトなどの紐状支持体５で、被昇降物４の底部を支持すると共に、この紐状支持体５を被昇降物４の例えば左右側部を介して上方へと配設して、被昇降物４の上方に配した吊り具本体１の両端部の掛止部６に掛止する。
【００１４】
そして、吊り具本体１の吊り下げ部３をクレーンなどの吊り上げ装置に設けられた昇降吊り具２に吊り下げしてこの昇降吊り具２を移動させると、これに伴って被昇降物４も移動し、吊り上げ装置の操作により被昇降物４を所要の場所へと移動させることができる。
【００１５】
また、この吊り上げ移動の際、吊り具本体１両端部の掛止部６に掛止した紐状支持体５は、この両端部の掛止部６間が、被昇降物４の横幅寸法に略合致する距離か若しくは被昇降物４の横幅寸法よりも大きい距離を有しているために、この両側の紐状支持体５の距離が被昇降物４の横幅より小さくなって被昇降物４の例えば左右側面を強く圧迫するようなことがなく、よってこの吊り上げ移動時にこの紐状支持体５によって被昇降物４が変形したり損傷したりすることがない。
【００１６】
また、被昇降物４の底部を支持した紐状支持体５を、吊り具本体１の一点に掛止するような構成でなく、吊り具本体１の両端部の掛止部６に掛止して被昇降物４を吊り上げるため、吊り上げ移動の際に紐状支持体５で支持した被昇降物４のバランスが良好に取れ、吊り具本体１に対し非常に安定した状態で被昇降物４を吊り下げることが可能となるので吊り上げ装置による被昇降物４の移動を良好に且つ安全に行うことができる。
【００１７】
また、例えば、前記吊り具本体１の長さ寸法を、被昇降物４の横幅寸法より大きい長さ寸法に設定して、この吊り具本体１両端部の前記掛止部６間の距離寸法を、前記被昇降物４の横幅寸法に略合致する距離寸法に設定若しくは被昇降物４の横幅寸法より大きい距離寸法に設定し得るように構成し、この吊り具本体１両端部の掛止部６に前記紐状支持体５を掛止すると共に、前記吊り上げ部を介して吊り具本体１を前記吊り上げ装置で吊り上げした際に、この紐状支持体５が被昇降物４に対し内側に傾斜した状態とならず、被昇降物４の側面部と略平行若しくは被昇降物４に対し外側に傾斜した状態となるように構成すれば、両端部に掛止部６を備え、前記作用・効果を確実に発揮し得る吊り具本体１を簡易構成にして容易に設計実現可能となり、被昇降物４を確実に変形したり損傷したりせずに吊り上げできることになる。
【００１８】
また、例えば、前記掛止部６は、前記吊り具本体１両端部の外端部側に外側移動阻止部６Ａを設けると共に、この各外側移動阻止部６Ａより間隔を置いた吊り具本体１の中心部側に内側移動阻止部６Ｂを設けて、この外側移動阻止部６Ａと内側移動阻止部６Ｂとの間に前記紐状支持体５を掛止する構成とすれば、吊り具本体１両端部の掛止部６に掛止した紐状支持体５が大きく位置ずれすることがなく、これにより確実に被昇降物４の変形や損傷を阻止できると共に、吊り具本体１に対し良好にバランスの取れた安定状態で被昇降物４を吊り下げできて吊り上げ装置による昇降移動を安定的に行うことができ、しかも、この構成は簡易構成であって量産性に秀れ、安価な製品を提供可能となるなど、一層実用的となる。
【実施例】
【００１９】
本発明の具体的な実施例について図面に基づいて説明する。
【００２０】
図面の被昇降物４は、略立方体形であって上部開放形をなすカゴ容体の底部四隅に脚杆４Ａが垂設されたカゴ型パレット（以下、カゴ型パレット４と称す。）を採用した場合を示しており、本実施例は、このカゴ型パレット４をクレーンなどの吊り上げ装置（図示省略）を用いて移動させるために使用する昇降用吊り具（カゴ型パレット用吊り具）に適用したものである。
【００２１】
本実施例は、長さのある棒状の吊り具本体１に、前記吊り上げ装置に設けられた昇降吊り具２に吊り下げする吊り下げ部３を設けている。
【００２２】
具体的に説明すると、吊り具本体１は、図１に示すように断面角形の金属棒体を採用している。この吊り具本体１は、建築用資材のような重量物を収納したカゴ型パレット４を吊り下げた際に、変形や損傷を生じることのない強度を有する構成とする。
【００２３】
また、この吊り具本体１は、カゴ型パレット４の左右横幅寸法よりやや長い長さ寸法を有するものとしている。
【００２４】
更に詳しくは、本実施例では、例えば、左右横幅が１ｍ幅のカゴ型パレット４に対応する吊り具本体１と、１.２ｍ幅のカゴ型パレット４に対応する吊り具本体１とを二種類用意し、この二種類の吊り具本体１は、いずれも適応するカゴ型パレット４の左右横幅寸法よりもやや長い長さ寸法を有するものとし、この二種類の吊り具本体１を、吊り上げて移動させたいカゴ型パレット４の左右横幅に応じて使い分けする構成としている。他の幅寸法のカゴ型パレット４に対しても、これに対応する長さ寸法の吊り具本体１を用意することで対応可能である。
【００２５】
尚、例えば、吊り具本体１に伸縮構造を設けて、一本で幅寸法の異なる数種のカゴ型パレット４に対応できるように構成しても良いが、本実施例のような伸縮構造を有しない金属製一体型の吊り具本体１の方が強度的に有利であり、耐久性に秀れる。
【００２６】
吊り下げ部３は、くの字状に屈曲形成した金属製線材３Ａを、図１に示すようにその屈曲部が頂部となるようにした状態で吊り具本体１の両側面（図面の手前側面と奥側面）に夫々付設（例えば溶接）固定すると共に、この各金属製線材３Ａの屈曲頂部同士を付設（例えば溶接）した構成とし、この屈曲頂部を吊り上げ装置の昇降吊り具２（例えば、クレーンのフック）に吊り下げする構成としている。また、この吊り下げ部３を構成する各金属製線材３Ａは、屈曲頂部が吊り具本体１の重心位置に存するようにして吊り具本体１に付設した構成とし、この屈曲頂部を昇降吊り具２に吊り下げすることにより、吊り具本体１が略水平にバランスされて吊り下げられるようにしている。
【００２７】
また、本実施例では、この吊り具本体１の両端部に、カゴ型パレット４の底部を支持したロープやベルトなどの紐状支持体５を掛止する掛止部６を設けると共に、この吊り具本体１両端部の掛止部６間の距離寸法を、前記カゴ型パレット４の横幅寸法に略合致する距離寸法に設定するか若しくはカゴ型パレット４の横幅寸法よりも大きい距離寸法に設定している。
【００２８】
具体的に説明すると、掛止部６は、前記吊り具本体１の外端部側に外側移動阻止部６Ａを設けると共に、この外側移動阻止部６Ａより間隔を置いた吊り具本体１の中心部側に内側移動阻止部６Ｂを設け、この外側移動阻止部６Ａと内側移動阻止部６Ｂとの間に前記紐状支持体５を掛止することで、この紐状支持体５を掛止部６に位置ずれ阻止状態で掛止し得るように構成している。
【００２９】
更に詳しくは、吊り具本体１の両端部に板材を付設すると共にこの板材は上端部を吊り具本体１の上面より上方へ突出状態に設けて、この板材の吊り具本体１上面よりも上方へ突出する部位を前記外側移動阻止部６Ａとしている。
【００３０】
また、この両端部夫々の外側移動阻止部６Ａより間隔を置いた内側位置の吊り具本体１上面にパイプ状の突起を横設状態にして付設し、この突起を前記内側移動阻止部６Ｂとしている。
【００３１】
そして、この外側移動阻止部６Ａと内側移動阻止部６Ｂとの間に前記紐状支持体５（後述する掛環部５Ｂ）を掛止することで、この紐状支持体５を、外側移動阻止部６Ａ，内側移動阻止部６Ｂ間の外部への位置ずれを阻止した状態（外側移動阻止部６Ａ，内側移動阻止部６Ｂ間の範囲内では移動可能な状態）で掛止し得るように構成している。
【００３２】
また、内側移動阻止部６Ｂは、両端部の掛止部６に掛止した紐状支持体５が吊り具本体１の中心方向に位置ずれしてこの各紐状支持体５間の間隔がカゴ型パレット４の左右横幅寸法より小さくなることを阻止することとなるように、吊り具本体１への形成位置を設定構成している。
【００３３】
即ち、本実施例では、図４に示すように、少なくとも各内側移動阻止部６Ｂ間の距離寸法が、カゴ型パレット４の左右横幅寸法と略同じ距離寸法となるように、この各内側移動阻止部６Ｂの形成位置を設定構成している。
【００３４】
従って、吊り具本体１両端部の掛止部６に紐状支持体５を掛止すると共に、前記吊り上げ部を介して吊り具本体１を前記吊り上げ装置で吊り上げした際に、この紐状支持体５がカゴ型パレット４の側面部（本実施例では左右側面部）に対し内側に傾斜した状態とはならず、カゴ型パレット４の側面部と略平行若しくはカゴ型パレット４に対し外側に傾斜した状態となるように構成している。
【００３５】
また、本実施例の紐状支持体５は、強化合成繊維製であって多重平織のスリングベルト５Ａの両端部に、前記掛止部６に掛止するための掛環部５Ｂを付設した構成としている。
【００３６】
次に、図２〜図４を用いて本実施例の使用方法を説明する。
【００３７】
本実施例では、紐状支持体５を二本使用してカゴ型パレット４を支持した場合を示している。
【００３８】
具体的には、一方の紐状支持体５方を、カゴ型パレット４底部の前側に掛け回して前側左右の前記脚杆４Ａに引っ掛けた上、この紐状支持体５の両端部をカゴ型パレット４の左右側面部に沿わせて上方へ立ち上げ、この両端部の掛環部５Ｂをカゴ型パレット４上方にカゴ型パレット４の左右方向に沿わせて配置した吊り具本体１の両端部の掛止部６に掛止する。
【００３９】
また、もう一方の紐状支持体５を、カゴ型パレット４底部の後側に掛け回して後側左右の前記脚杆４Ａに引っ掛けた上、この紐状支持体５の両端部をカゴ型パレット４の左右側面部に沿わせて上方へ立ち上げ、この両端部の掛環部５Ｂを吊り具本体１の両端部の掛止部６に掛止する。
【００４０】
そして、吊り具本体１の吊り下げ部３をクレーンなどの吊り上げ装置に設けられた昇降吊り具２に吊り下げして、この吊り上げ装置によりカゴ型パレット４を昇降移動させて任意の場所へ運んだり、昇降移動することができる。
【００４１】
また、この際、吊り具本体１の両端部の掛止部６の夫々の内側移動阻止部６Ｂ間が、カゴ型パレット４の左右横幅寸法に略合致しているため、この内側移動阻止部６Ｂにより掛止部６に掛止した紐状支持体５（掛環部５Ｂ）の吊り具本体１の中心方向への移動が阻止されるので、この掛止部６に掛止した紐状支持体５（掛環部５Ｂ）は、カゴ型パレット４に対し内側に傾斜した状態とはならず、この紐状支持体５によってカゴ型パレット４が変形したり損傷したりすることがない。
【００４２】
また、カゴ型パレット４の左右横幅寸法よりも長い長さを有する吊り具本体１の両端部に掛止部６を設けて、この両端部の掛止部６にカゴ型パレット４を支持した紐状支持体５を掛止して吊り上げすると共に、吊り具本体１の重心に存する吊り下げ部３を吊り上げ装置の昇降吊り具２に吊り下げする構成、即ち、略水平に吊り下げられる吊り具本体１の両端部にカゴ型パレット４を支持した紐状支持体５が掛止られるため、吊り下げたカゴ型パレット４のバランスが良好に取れ、非常に安定した状態で吊り下げでき、この吊り下げたカゴ型パレット４の移動を吊り上げ装置により良好に且つ安全に行うことができる。本実施例で示したような二本の紐状支持体５を用いたカゴ型パレット４（被昇降物４）の支持方法を行うことで、非常にバランス良く安定的に支持して吊り上げできることになる。
【００４３】
尚、紐状支持体５の構成や、カゴ型パレット４の支持に要する本数や支持の仕方などは、本実施例に限定されるものではなく、適宜設計変更可能である。
【００４４】
また、被昇降物４もカゴ型パレット４に限定するものではなく、色々なものの昇降移動用に本発明品を適用可能である。
【００４５】
尚、本発明は、本実施例に限られるものではなく、各構成要件の具体的構成は適宜設計し得るものである。
【図面の簡単な説明】
【００４６】
【図１】本実施例を示す斜視図である。
【図２】本実施例の使用状態を示す斜視図である。
【図３】本実施例の使用状態における紐状支持体の掛け回し支持構造を示す説明斜視図である。
【図４】本実施例の使用状態を示す昇降吊り具を省略した説明正面図である。
【符号の説明】
【００４７】
１  吊り具本体
２  昇降吊り具
３  吊り下げ部
４  被昇降物
５  紐状支持体
６  掛止部
６Ａ  外側移動阻止部
６Ｂ  内側移動阻止部
【図１】
2007161465.tif 000003
【図２】
2007161465.tif 000004
【図３】
2007161465.tif 000005
【図４】
2007161465.tif 000006